(57)【特許請求の範囲】
【請求項１】
左右方向（Ｘ）の軸心を有する外筒（３）と、該外筒（３）の左右一端側から左右移動自在に挿入される内筒（４）とを備えていてリングランナー（２）のリング部（６）を左右移動自在に支持するカーテンレール（１）の前記外筒（３）の一端側に設けられるジョイントであって、
左右方向（Ｘ）の軸心を有する筒状に形成されていて、左右一側が外筒（３）の前記一端側に嵌合保持される外筒嵌合部（１１）とされると共に、左右他側が前記内筒（４）を左右移動自在に挿通支持する内筒支持部（１２）とされたジョイントにおいて、
前記外筒嵌合部（１１）の外面は、ジョイント（５）の左右方向（Ｘ）中央側の円柱面（１６）と、この円柱面（１６）からジョイント（５）の左右一側端部（５ａ）に行くに従って先細りとなる円錐状のテーパ面（１７）とから構成され、
前記内筒支持部（１２）の外面は、ジョイント（５）の前記円柱面（１６）からジョイント（５）の左右他側端部（５ｂ）に行くに従って先細りとなる円錐状のテーパ面（１８）に形成され、
前記内筒支持部（１２）の上面側に、ジョイント（５）の左右他側端部（５ｂ）からジョイント（５）の左右中央側に向けて凹設した切欠部（１９Ａ）を形成し、
この切欠部（１９Ａ）の前後の縁部（２０Ａ）は、ジョイント（５）の左右他側端部（５ｂ）からジョイント（５）の左右中央側に行くに従って上方に移行すると共に前後中央に移行するように形成され、且つ、ジョイント（５）の左右中央側において内筒支持部（１２）のテーパ面（１８）上面と連続しており、
該切欠部（１９Ａ）の前後の縁部（２０Ａ）の、ジョイント（５）の左右他側端部（５ｂ）側は、リングランナー（２）のリング部（６）の内孔（８）上端が内筒（４）の上端に接当した状態で、該リング部（６）内孔（８）と内筒（４）との間の隙間（９）に挿入可能とされ、
前記外筒嵌合部（１１）の上面側に、ジョイント（５）の左右一側端部（５ａ）からジョイント（５）の左右中央側に向けて凹設した切欠部（２２Ａ）を形成し、
この切欠部（２２Ａ）の前後の縁部（２３Ａ）は、ジョイント（５）の左右一側端部（５ａ）からジョイント（５）の左右中央側に行くに従って上方に移行すると共に前後中央に移行するように形成され、且つ、ジョイント（５）の左右中央側において外筒嵌合部（１１）のテーパ面（１７）上面と連続しており、
該切欠部（２２Ａ）の前後の縁部（２３Ａ）の、ジョイント（５）の左右一側端部（５ａ）側は、リングランナー（２）のリング部（６）の内孔（８）上端が外筒（３）の上端に接当した状態で、該リング部（６）内孔（８）と外筒（３）との間の隙間（９）に挿入可能とされ、
前記円柱面（１６）と前記各テーパ面（１７，１８）とは、段差のない状態で連続していることを特徴とするカーテンレールのジョイント。
【請求項２】
前記内筒支持部（１２）の下面側に、ジョイント（５）の左右他側端部（５ｂ）からジョイント（５）の左右中央側に向けて凹設した切欠部（１９Ｂ）を形成し、
この切欠部（１９Ｂ）の前後の縁部（２０Ｂ）は、ジョイント（５）の左右他側端部（
５ｂ）からジョイント（５）の左右中央側に行くに従って下方に移行すると共に前後中央に移行するように形成され、且つ、ジョイント（５）の左右中央側においてジョイント（５）の外面下面と連続しており、
該切欠部（１９Ｂ）の前後の縁部（２０Ｂ）の、ジョイント（５）の左右他側端部（５ｂ）側は、リングランナー（２）のリング部（６）の内孔（８）下端が内筒（４）の下端に接当した状態で、該リング部（６）内孔（８）と内筒（４）との間の隙間（９）に挿入可能とされていることを特徴とする請求項１に記載のカーテンレールのジョイント。
【請求項３】
前記外筒嵌合部（１１）の下面側に、ジョイント（５）の左右一側端部（５ａ）からジョイント（５）の左右中央側に向けて凹設した切欠部（２２Ｂ）を形成し、
この切欠部（２２Ｂ）の前後の縁部（２３Ｂ）は、ジョイント（５）の左右一側端部（５ａ）からジョイント（５）の左右中央側に行くに従って下方に移行すると共に前後中央に移行するように形成され、且つ、ジョイント（５）の左右中央側においてジョイント（５）の外面下面と連続しており、
該切欠部（２２Ｂ）の前後の縁部（２３Ｂ）の、ジョイント（５）の左右一側端部（５ａ）側は、リングランナー（２）のリング部（６）の内孔（８）下端が外筒（３）の下端に接当した状態で、該リング部（６）内孔（８）と外筒（３）との間の隙間（９）に挿入可能とされていることを特徴とする請求項１又は２に記載のカーテンレールのジョイント。
【発明の詳細な説明】
【技術分野】
【０００１】
本発明は、リングランナーを移動自在に支持するカーテンレールのジョイントに関するものである。
【背景技術】
【０００２】
従来、リングランナーを移動自在に支持する棒状の長尺なカーテンレールがある（特許文献１参照）。
このリングランナー用のカーテンレールとして、左右方向の軸心を有する外筒と該外筒の左右一端側から左右移動自在に挿入される内筒とを備えていて、内筒を外筒に対して左右方向に移動させることにより、長さ調整自在としたものがある。
【０００３】
このカーテンレールには、外筒の一端側に筒状のジョイントが設けられる。
図７（ｂ）に示すように、このジョイント５は、左右方向Ｘの軸心を有する筒状に形成されていて、左右一側が外筒３の一端側に嵌合保持される外筒嵌合部１１とされると共に、左右他側が前記内筒４を左右移動自在に挿通支持する内筒支持部１２とされている。
【先行技術文献】
【特許文献】
【０００４】
【特許文献１】特開２００８−２７２１９９号公報
【発明の概要】
【発明が解決しようとする課題】
【０００５】
図７（ｂ）に示すジョイント５にあっては、リングランナー２が内筒４から外筒３へと移動する際に、リングランナー２のリング部６が、内筒支持部１２の端部１２ａに引っ掛かる場合があるという問題がある。
そこで、本発明は、前記問題点に鑑み、リングランナーが引っ掛かることなくスムーズに移動することができるカーテンレールのジョイントを提供することを課題とする。
【課題を解決するための手段】
【０００６】
前記技術的課題を解決するために本発明が講じた技術的手段は、左右方向の軸心を有する外筒と、該外筒の左右一端側から左右移動自在に挿入される内筒とを備えていてリングランナーのリング部を左右移動自在に支持するカーテンレールの前記外筒の一端側に設けられるジョイントであって、
左右方向の軸心を有する筒状に形成されていて、左右一側が外筒の前記一端側に嵌合保
持される外筒嵌合部とされると共に、左右他側が前記内筒を左右移動自在に挿通支持する内筒支持部とされたジョイントにおいて、
前記外筒嵌合部の外面は、ジョイントの左右方向中央側の円柱面と、この円柱面からジョイントの左右一側端部に行くに従って先細りとなる円錐状のテーパ面とから構成され、
前記内筒支持部の外面は、ジョイントの前記円柱面からジョイントの左右他側端部に行くに従って先細りとなる円錐状のテーパ面に形成され、
前記内筒支持部の上面側に、ジョイントの左右他側端部からジョイントの左右中央側に向けて凹設した切欠部を形成し、
この切欠部の前後の縁部は、ジョイントの左右他側端部からジョイントの左右中央側に行くに従って上方に移行すると共に前後方向中央に移行するように形成され、且つ、ジョイントの左右中央側において内筒支持部のテーパ面上面と連続しており、
該切欠部の前後の縁部の、ジョイントの左右他側端部側は、リングランナーのリング部の内孔上端が内筒の上端に接当した状態で、該リング部内孔と内筒との間の隙間に挿入可能とされ、
前記外筒嵌合部の上面側に、ジョイントの左右一側端部からジョイントの左右中央側に向けて凹設した切欠部を形成し、
この切欠部の前後の縁部は、ジョイントの左右一側端部からジョイントの左右中央側に行くに従って上方に移行すると共に前後方向中央に移行するように形成され、且つ、ジョイントの左右中央側において外筒嵌合部のテーパ面上面と連続しており、
該切欠部の前後の縁部の、ジョイントの左右一側端部側は、リングランナーのリング部の内孔上端が外筒の上端に接当した状態で、該リング部内孔と外筒との間の隙間に挿入可能とされ、
前記円柱面と前記各テーパ面とは、段差のない状態で連続していることを特徴とする。
【０００７】
また、前記内筒支持部の下面側に、ジョイントの左右他側端部からジョイントの左右中央側に向けて凹設した切欠部を形成し、
この切欠部の前後の縁部は、ジョイントの左右他側端部からジョイントの左右中央側に行くに従って下方に移行すると共に前後方向中央に移行するように形成され、且つ、ジョイントの左右中央側においてジョイントの外面下面と連続しており、
該切欠部の前後の縁部の、ジョイントの左右他側端部側は、リングランナーのリング部の内孔下端が内筒の下端に接当した状態で、該リング部内孔と内筒との間の隙間に挿入可能とされているのがよい。
【０００８】
また、前記外筒嵌合部の下面側に、ジョイントの左右一側端部からジョイントの左右中央側に向けて凹設した切欠部を形成し、
この切欠部の前後の縁部は、ジョイントの左右一側端部からジョイントの左右中央側に行くに従って下方に移行すると共に前後方向中央に移行するように形成され、且つ、ジョイントの左右中央側においてジョイントの外面下面と連続しており、
該切欠部の前後の縁部の、ジョイントの左右一側端部側は、リングランナーのリング部の内孔下端が外筒の下端に接当した状態で、該リング部内孔と外筒との間の隙間に挿入可能とされているのがよい。
【発明の効果】
【０００９】
本発明のジョイントにあっては、リングランナーが内筒からジョイントを乗り越えて外筒へと移動する際において、リングランナーがジョイントの内筒挿入側の端部側に至ると、ジョイントの内筒支持部に形成した切欠部の前後の縁部の内筒挿入側の端部側が、リングランナーのリング部内孔と内筒との間の隙間に挿入することにより、リングランナーのリング部内孔の上部の前後が、内筒支持部の切欠部の前後の縁部上に乗り上げる。
【００１０】
リングランナーが、さらに、ジョイントの左右中央側に移動すると、リングランナーのリング部が内筒支持部の切欠部の前後の縁部上を摺動して、ジョイントの左右中央側の外面上面へと移動する。
以上のようにして、リングランナーがジョイントに引っ掛かることなく、スムーズに内筒から外筒側へと移動する。
【図面の簡単な説明】
【００１１】
【図１】（ａ）はリングランナーが套嵌されたカーテンレールの一部の斜視図、（ｂ）はジョイントの斜視図である。
【図２】（ａ）はジョイントの正面図、（ｂ）はジョイントを左右方向一側端部から見た側面図、（ｃ）はジョイントを左右方向他側端部から見た側面図である。
【図３】カーテンレールのジョイント取付部分の正面断面図である。
【図４】カーテンレールのジョイント取付部分の平面図である。
【図５】（ａ）はカーテンレールのジョイント取付部分の平面断面図、（ｂ）はカーテンレールのジョイント取付部分の左右他側の側面断面図である。
【図６】（ａ）はジョイント及びリングランナーを左右方向一側端部から見た側面図、（ｂ）はジョイント及びリングランナーを左右方向他側端部から見た側面図である。
【図７】（ａ）は他の実施形態に係るカーテンレールのジョイント取付部分の正面断面図、（ｂ）は従来のカーテンレールのジョイント取付部分の正面断面図である。
【発明を実施するための形態】
【００１２】
以下、本発明の実施の形態を図面を参照して説明する。
図１（ａ）において、１はリングランナー２を移動自在に支持する長尺な棒状のカーテンレールである。
このカーテンレール１は、左右方向Ｘの軸心を有する円筒状の外筒３と、一端側がこの外筒３の一端側から同芯状に挿入された円筒状の内筒４と、前記外筒３の一端側に設けられるジョイント５とを備えている。
【００１３】
前記内筒４は外筒３に対して左右方向Ｘ（長手方向）に移動自在であり、外筒３に対して内筒４を左右方向Ｘに相対移動させることにより、カーテンレール１が長さ調整自在とされている。
なお、外筒３及び内筒４の他端側には端具が設けられる。また、このカーテンレール１は、壁に取付ブラケットによって取り付けられる（カーテンレール１は対向する壁間で突っ張ることにより取り付けられるタイプのものであってもよい）。
【００１４】
リングランナー２は、カーテンレール１が挿通される円環状のリング部６と、このリング部６の下端側に設けられた取付部７とを有し、前記取付部７に吊り具を介してカーテンが取り付けられる。
リング部６の内孔８の径は、カーテンレール１の外筒３の外径より、ひとまわり大きな径に形成され、図６に示すように、リングランナー２のリング部６の内孔８の上端が外筒３又は内筒４の上端に接当した状態で、リング部６の内孔８と、外筒３又は内筒４との間に、上端から下端側にかけて周方向に沿って漸次大となる隙間９が形成される。
【００１５】
また、逆に、リングランナー２のリング部６の内孔８の下端が外筒３又は内筒４の下端に接当した状態においては、リング部６の内孔８と、外筒３又は内筒４との間に形成される隙間９は、下端から上端側にかけて周方向に沿って漸次大となる。
前記ジョイント５は、図１〜図５に示すように、左右方向Ｘの軸心を有する筒状に形成され、左右方向Ｘ両端が開口状に形成されている。
【００１６】
このジョイント５の左右方向Ｘの一側が外筒３の前記一端側に嵌合される外筒嵌合部１１とされ、左右方向Ｘの向他側が内筒４を挿通支持する内筒支持部１２とされている。
外筒嵌合部１１の内孔１３は内筒支持部１２の内孔１４よりも径大に形成されており、ジョイント５の内部の孔は段付きの孔に形成されている。
外筒嵌合部１１の内孔１３に外筒３の一端側が同芯状に内嵌され、これによりジョイント５が外筒３の一端側に取付保持されている。
【００１７】
内筒支持部１２の内孔１４には、内筒４がその一端側から挿入されて該内孔１４に内筒４が軸心方向移動自在に（摺動自在に）支持されている。
外筒嵌合部１１の外面は、ジョイント５の左右中央側（左右方向Ｘ中央側）の円柱面１６と、この円柱面１６からジョイント５の左右一側端部５ａ（左右方向Ｘ一側の端部）に行くに従って先細りとなるテーパ面１７とから構成されている。
【００１８】
内筒支持部１２の外面は、ジョイント５の左右中央側（前記外筒嵌合部１１の円柱面１
６）からジョイント５の左右他側端部５ｂ（左右方向Ｘ他側の端部）に行くに従って先細りとなるテーパ面１８に形成されている。
前記円柱面１６と各テーパ面１７，１８とは、段差のない状態で接続されている（連続している）。
【００１９】
ジョイント５の内筒支持部１２の上面側及び下面側には、ジョイント５の左右他側端部５ｂからジョイント５の左右中央側に向けて凹設した切欠部１９Ａ，１９Ｂが形成されている（上側の切欠部１９Ａを内筒側上切欠部といい、下側の切欠部１９Ｂを内筒側下切欠部という）。
内筒側上切欠部１９Ａは、平面視で、ジョイント５の左右中央側で且つ前後中央側（前後方向Ｙの中央側）からジョイント５の左右他側端部５ｂに向けて拡開するＶ字状に形成されている。内筒側下切欠部１９Ｂは、底面視で、ジョイント５の左右中央側で且つ前後中央側からジョイント５の左右他側端部５ｂに向けて拡開するＶ字状に形成されている。
【００２０】
したがって、内筒側上切欠部１９Ａの前後の縁部２０Ａは、ジョイント５の左右他側端部５ｂからジョイント５の左右中央側に行くに従って、内筒４外面に沿って上方に移行すると共に前後中央側に移行するように形成されている。また、内筒側下切欠部１９Ｂの前後の縁部２０Ｂは、ジョイント５の左右他側端部５ｂからジョイント５の左右中央側に行くに従って、内筒４外面に沿って下方に移行すると共に前後中央側に移行するように形成されている。
【００２１】
また、内筒側上切欠部１９Ａの前後の縁部２０Ａ及び内筒側下切欠部１９Ｂの前後の縁部２０Ｂは、ジョイント５の左右中央側において相互に接続され、内筒側上切欠部１９Ａの前後の縁部２０Ａの接続部分は平面視で円弧状に形成され、内筒側下切欠部１９Ｂの前後の縁部２０Ｂの接続部分は底面視で円弧状に形成されている。
なお、内筒側上切欠部１９Ａと内筒側下切欠部１９Ｂとは、一方を上下に反転させると他方と同形状となるように形成されている。
【００２２】
また、内筒側上切欠部１９Ａの前後の縁部２０Ａは、ジョイント５の左右中央側においてジョイント５の外面上面（内筒支持部１２の外面上面）と連続しており、内筒側下切欠部１９Ｂの前後の縁部２０Ｂは、ジョイント５の左右中央側においてジョイント５の外面下面（内筒支持部１２の外面下面）と連続している。
また、内筒側上切欠部１９Ａの前後の縁部２０Ａの、ジョイント５の左右他側端部５ｂ側は、リングランナー２のリング部６の内孔８上端が内筒４の上端に接当した状態で、該リング部６の内孔８と内筒４との間の隙間９に挿入可能とされ、内筒側下切欠部１９Ｂの前後の縁部２０Ｂの、ジョイント５の左右他側端部５ｂ側は、リングランナー２のリング部６の内孔８下端が内筒４の下端に接当した状態で、該リング部６内孔８と内筒４との間の隙間９に挿入可能とされている。
【００２３】
また、内筒側上切欠部１９Ａと内筒側下切欠部１９Ｂの前後の縁部２０Ａ，２０Ｂは、断面円弧状に面取りされている。
前記内筒側上切欠部１９Ａと内筒側下切欠部１９Ｂの前後の縁部２０Ａ，２０Ｂの外延部２１Ａ，２１Ｂ（内筒側上切欠部１９Ａ及び内筒側下切欠部１９Ｂの縁部２０Ａ，２０Ｂと内筒支持部１２のテーパ面１８との境界部）がリングランナー２のリング部６を左右方向Ｘに案内するガイドレールとされている。
【００２４】
また、ジョイント５の外筒嵌合部１１の上面側及び下面側には、ジョイント５の左右一側端部５ａからジョイント５の左右中央側に向けて凹設した切欠部２２Ａ，２２Ｂが形成されている（上側の切欠部２２Ａを外筒側上切欠部といい、下側の切欠部２２Ｂを外筒側下切欠部という）。
外筒側上切欠部２２Ａは、平面視で、ジョイント５の左右中央側で且つ前後中央側からジョイント５の左右一側端部５ｂに向けて拡開するＶ字状に形成されている。また、外筒側下切欠部２２Ｂは、底面視で、ジョイント５の左右中央側で且つ前後中央側からジョイント５の左右一側端部５ａに向けて拡開するＶ字状に形成されている。
【００２５】
したがって、外筒側上切欠部２２Ａの前後の縁部２３Ａは、ジョイント５の左右一側端部５ａからジョイント５の左右中央側に行くに従って、外筒３外面に沿って上方に移行す
ると共に前後中央側に移行するように形成されている。また、外筒側下切欠部２２Ｂの前後の縁部２３Ｂは、ジョイント５の左右一側端部５ａからジョイント５の左右中央側に行くに従って、外筒３外面に沿って下方に移行すると共に前後中央側に移行するように形成されている。
【００２６】
また、外筒側上切欠部２２Ａの前後の縁部２３Ａ及び外筒側下切欠部２２Ｂの前後の縁部２３Ｂは、ジョイント５の左右中央側において相互に接続され、外筒側上切欠部２２Ａの前後の縁部２３Ａの接続部分は平面視で円弧状に形成され、外筒側下切欠部２２Ｂの前後の縁部２３Ｂの接続部分は底面視で円弧状に形成されている。
なお、外筒側上切欠部２２Ａと外筒側下切欠部２２Ｂとは、一方を上下に反転させると他方と同形状となるように形成されている。
【００２７】
また、外筒側上切欠部２２Ａの前後の縁部２３Ａは、ジョイント５の左右中央側においてジョイント５の外面上面（外筒嵌合部１１の外面上面）と連続しており、外筒側下切欠部２２Ｂの前後の縁部２３Ｂは、ジョイント５の左右中央側においてジョイント５の外面下面（外筒嵌合部１１の外面下面）と連続している。
また、外筒側上切欠部２２Ａの前後の縁部２３Ａの、ジョイント５の左右一側端部５ａ側は、リングランナー２のリング部６の内孔８上端が外筒３の上端に接当した状態で、該リング部６の内孔８と外筒３との間の隙間９に挿入可能とされ、外筒側下切欠部２２Ｂの前後の縁部２３Ｂの、ジョイント５の左右一側端部５ａ側は、リングランナー２のリング部６の内孔８下端が外筒３の下端に接当した状態で、該リング部６の内孔８と外筒３との間の隙間９に挿入可能とされている。
【００２８】
また、外筒側上切欠部２２Ａ及び外筒側下切欠部２２Ｂの前後の縁部２３Ａ，２３Ｂは、断面円弧状に面取りされている。
前記外筒側上切欠部２２Ａと外筒側下切欠部２２Ｂの前後の縁部２３Ａ，２３Ｂの外延部２４Ａ，２４Ｂ（外筒側上切欠部２２Ａ及び外筒側下切欠部２２Ｂの前後の縁部２３Ａ，２３Ｂと外筒嵌合部１１のテーパ面１７との境界部）がリングランナー２のリング部６を左右方向Ｘに案内するガイドレールとされている。
【００２９】
前記構成のカーテンレール１にあっては、カーテンを左右移動させてリングランナー２のリング部６が内筒４から外筒３へと移動する際にあっては、ジョイント５を乗り越えてリングランナー２が内筒４から外筒３へと移動するが、このときにおいて、リングランナー２が内筒４上を摺動してジョイント５の左右他側端部５ｂに至ると、内筒側上切欠部１９Ａの前後の縁部２０Ａの、ジョイント５の左右他側端部５ｂ側が、リングランナー２のリング部６の内孔８と内筒４との間の隙間９に挿入し、リングランナー２のリング部６の内孔８の上部側の前後が、内筒側上切欠部１９Ａの前後の縁部２０Ａの外延部２１Ａに接触する（図３及び図４に示すＡ位置において接触点ａにて接触する）。
【００３０】
リングランナー２がＡ位置からジョイント５の左右中央側へと、さらに移動すると、リングランナー２のリング部６は内筒側上切欠部１９Ａの前後の縁部２０Ａの外延部２１Ａ上を摺動して内筒側上切欠部１９Ａの前後の縁部２０Ａに沿って持ち上げられる。
そして、リングランナー２が図４のＢ位置に至ると、リングランナー２のリング部６の内孔８上端が内筒側上切欠部１９Ａの前後の縁部２０Ａの外延部２１Ａの最も高い点ｂで接触する。
【００３１】
このＢ位置からリングランナー２がジョイント５の左右中央側へと移動すると、リングランナー２のリング部６内孔８上端が、内筒支持部１２の上面から外筒嵌合部１１の円柱面１６へと摺動しながらスムーズに移動する。
以上のように、リングランナー２は内筒４からジョイント５の左右中央側の円柱面１６へと、引っ掛かることなくスムーズに乗り上げる。
【００３２】
また、リングランナー２のリング部６が外筒３から内筒４へと移動する際にあっては、前記の場合と同様に、リングランナー２が外筒３上を摺動してジョイント５の左右一側端部５ａに至ると、外筒側上切欠部２２Ａの前後の縁部２３Ａの、ジョイント５の左右一側端部５ａ側が、リングランナー２のリング部６の内孔８と外筒３との間の隙間９に挿入し、リングランナー２のリング部６の内孔８の上部側の前後が、外筒側上切欠部２２Ａの前
後の縁部２３Ａの外延部２４Ａに接触する（図３及び図４に示すＣ位置において接触点ｃにて接触する）。
【００３３】
リングランナー２がＣ位置からジョイント５の左右中央側へと、さらに移動すると、リングランナー２のリング部６は外筒側上切欠部２２Ａの前後の縁部２３Ａの外延部２４Ａ上を摺動して外筒側上切欠部２２Ａの前後の縁部２３Ａに沿って持ち上げられる。
そして、リングランナー２が図４のＤ位置に至ると、リングランナー２のリング部６の内孔８上端が外筒側上切欠部２２Ａの前後の縁部２３Ａの外延部２４Ａの最も高い点ｄで接触する。
【００３４】
このＤ位置からリングランナー２がジョイント５の左右中央側へと移動すると、リングランナー２のリング部６内孔８上端が、外筒嵌合部１１のテーパ面１７の上面から円柱面１６へと摺動しながらスムーズに移動する。
以上のように、リングランナー２は外筒３からジョイント５の左右中央側の円柱面１６へと、引っ掛かることなくスムーズに乗り上げる。
【００３５】
なお、円柱面１６からジョイント５の左右一側端部５ａ又は他側端部５ｂに移動する場合は、リングランナー２のリング部６が、外筒側上切欠部２２Ａの外延部２４Ａ上又は内筒側上切欠部１９Ａの外延部２１Ａ上を摺動してスムーズに降り、外筒３又は内筒４へと移動する。
また、例えば、カーテンを斜め上方に引きながら移動させる場合などにおいて、リングランナー２のリングの内孔８下端が内筒４又は外筒３の下端に接当しながら移動する場合は、内筒側下切欠部１９Ｂ又は外筒側下切欠部２２Ｂの前後の縁部１９Ｂ，２２Ｂの外延部２１Ｂ，２４Ｂ上を摺動して前記と同様に、リング部６がジョイント５の円柱面１６へと、引っ掛かることなくスムーズに移動する。
【００３６】
前記構成の実施形態において、リングランナー２のリング部６は、通常は、外筒３又は内筒４の上端に接触して左右移動するので、内筒側下切欠部１９Ｂ及び／又は外筒側下切欠部２２Ｂは設けられていなくてもよい。
また、図７（ａ）に示すように、ジョイント５の外筒嵌合部１１が外筒３の一端側に内嵌されるように形成されていて、ジョイント５の左右方向Ｘ中央側の円柱面２５と外筒３の外面とが面一状とされる場合は、外筒嵌合部１１に前記切欠部を形成する必要はなく、内筒支持部１２にのみ切欠部１９Ａ，１９Ｂが形成される。
【００３７】
また、切欠部は、少なくとも、ジョイント５の内筒支持部１２の上面側に設けられていればよい。
【符号の説明】
【００３８】
１    カーテンレール
２    リングランナー
３    外筒
４    内筒
５    ジョイント
５ａ  左右一側端部
５ｂ  左右他側端部
６    リング部
８    リング部の内孔
９    隙間
１１    外筒嵌合部
１２    内筒支持部
１９Ａ  切欠部
１９Ｂ  切欠部
２０Ａ  切欠部の前後の縁部
２０Ｂ  切欠部の前後の縁部
２２Ａ  切欠部
２２Ｂ  切欠部
２３Ａ  切欠部の前後の縁部
２３Ｂ  切欠部の前後の縁部
Ｘ    左右方向
Ｙ    前後方向
【図１】
0005612356.tif 000002
【図２】
0005612356.tif 000003
【図３】
0005612356.tif 000004
【図４】
0005612356.tif 000005
【図５】
0005612356.tif 000006
【図６】
0005612356.tif 000007
【図７】
0005612356.tif 000008